(57)【要約】【課題】ユーザがメニュー表示画面及び映像表示画面などの画面の表示をカスタマイズすることができる表示装置を提供する。【解決手段】表示装置（２）は、メニュー表示画面（３２）と映像表示画面（３４）とを表示する表示部（２０）と、メニュー表示画面（３２）及び映像表示画面（３４）に対して、それぞれユーザにより設定されたメニュー表示設定条件（１１０）及び映像表示設定条件（１２０）で表示部（２０）に表示する表示制御部（１８）と、を具備している。【選択図】図１
2016012184.tif 000002
【特許請求の範囲】
【請求項１】
メニュー表示画面と映像表示画面とを表示する表示部と、
前記メニュー表示画面及び前記映像表示画面に対して、それぞれユーザにより設定されたメニュー表示設定条件及び映像表示設定条件で前記表示部に表示する表示制御部と、
を具備することを特徴とする表示装置。
【請求項２】
前記メニュー表示設定条件及び前記映像表示設定条件は、それぞれ、前記ユーザにより設定され、かつ、前記メニュー表示画面及び前記映像表示画面を前記表示部に表示するときの表示透過率を表す情報を含むことを特徴とする請求項１に記載の表示装置。
【請求項３】
前記メニュー表示設定条件及び前記映像表示設定条件は、それぞれ、前記ユーザにより設定され、かつ、前記メニュー表示画面及び前記映像表示画面を前記表示部に表示するときの表示領域を表す情報を含むことを特徴とする請求項１または２に記載の表示装置。
【請求項４】
前記映像表示画面の表示領域は、前記メニュー表示画面の表示領域よりも小さく設定され、
前記メニュー表示画面の表示領域のうちの、前記映像表示画面の表示領域と重なっていない領域には、アイコンが配置されることを特徴とする請求項３に記載の表示装置。
【請求項５】
前記メニュー表示設定条件は、前記ユーザにより設定され、かつ、前記メニュー表示画面に対してベゼルデザインを指定するための情報を含むことを特徴とする請求項４に記載の表示装置。
【請求項６】
前記映像表示設定条件は、前記ユーザにより設定され、かつ、前記映像表示画面内で各映像データを前記表示部に表示するときの表示サイズ及び位置の少なくとも１つを指定するための情報を含むことを特徴とする請求項１から５のいずれかに記載の表示装置。
【請求項７】
請求項１から６のいずれかに記載の表示装置と、
ユーザが前記メニュー表示設定条件及び前記映像表示設定条件を前記表示装置に入力するための入力装置と、
を具備することを特徴とする表示システム。
【発明の詳細な説明】
【技術分野】
【０００１】
本発明は、メニューや映像を表示する表示装置、及び、表示システムに関する。
【背景技術】
【０００２】
表示装置は、メニュー表示層を表す画面であるメニュー表示画面と、映像表示層を表す画面である映像表示画面とを重畳させて表示する。このときに、表示装置は、メニュー表示画面及び映像表示画面に対して、予め設定された設定条件で表示する。ここで、予め設定された設定条件とは、メニュー表示画面及び映像表示画面を表示するときの表示位置や表示透過率であり、この表示位置や表示透過率は予め設定されている。
【０００３】
しかし、予め設定された設定条件は、例えばソフトウェアにより表示装置内に組み込まれたものであるため、ユーザが自由に変更することができない。したがって、ユーザは、メニュー表示画面及び映像表示画面の表示位置や表示透過率を自由に変更することができない。そのため、ユーザがメニュー表示画面及び映像表示画面などの画面の表示をカスタマイズできることが望まれる。
【０００４】
ユーザがカスタマイズできる技術として、特許文献１には画像表示装置が開示されている。
【０００５】
特許文献１に記載された技術では、階層的に表示するメニューに関するものであって、「簡単メニュー」について開示されている。「簡単メニュー」には、ユーザがメニューを変更してカスタマイズできる「ユーザーメニュー」と、ユーザーメニューに設定可能なメニュー項目を選択するための「ユーザーメニュー選択」と、簡単メニューから詳細メニューにメニューを切り替えるための「詳細メニュー切替」のメニュー項目を有している。「ユーザーメニュー選択」は簡単メニュー内で表示され、別階層のメニューではない。従ってユーザは簡単メニュー内で操作を行うことができる。
【先行技術文献】
【特許文献】
【０００６】
【特許文献１】特開２０１０−１４０２２３号公報
【発明の概要】
【発明が解決しようとする課題】
【０００７】
しかしながら、特許文献１に記載された技術では、ユーザがメニュー表示画面及び映像表示画面などの画面の表示をカスタマイズするものではない。
【０００８】
本発明は、上記従来の問題点に鑑みてなされたものであって、ユーザがメニュー表示画面及び映像表示画面などの画面の表示をカスタマイズすることができる表示装置、及び、表示システムを提供することを目的とする。
【課題を解決するための手段】
【０００９】
本発明の第１の観点では、表示装置は、メニュー表示画面と映像表示画面とを表示する表示部と、前記メニュー表示画面及び前記映像表示画面に対して、それぞれユーザにより設定されたメニュー表示設定条件及び映像表示設定条件で前記表示部に表示する表示制御部と、を具備することを特徴とする。
【００１０】
本発明の第２の観点では、第１の観点において、前記メニュー表示設定条件及び前記映像表示設定条件は、それぞれ、前記ユーザにより設定され、かつ、前記メニュー表示画面及び前記映像表示画面を前記表示部に表示するときの表示透過率を表す情報を含むことを特徴とする。
【００１１】
本発明の第３の観点では、第１の観点または第２の観点において、前記メニュー表示設定条件及び前記映像表示設定条件は、それぞれ、前記ユーザにより設定され、かつ、前記メニュー表示画面及び前記映像表示画面を前記表示部に表示するときの表示領域を表す情報を含むことを特徴とする。
【００１２】
本発明の第４の観点では、第３の観点において、前記映像表示画面の表示領域は、前記メニュー表示画面の表示領域よりも小さく設定され、前記メニュー表示画面の表示領域のうちの、前記映像表示画面の表示領域と重なっていない領域には、アイコンが配置されることを特徴とする。
【００１３】
本発明の第５の観点では、第４の観点において、前記メニュー表示設定条件は、前記ユーザにより設定され、かつ、前記メニュー表示画面に対してベゼルデザインを指定するための情報を含むことを特徴とする。
【００１４】
本発明の第６の観点では、第１の観点から第５の観点のいずれかにおいて、前記映像表示設定条件は、前記ユーザにより設定され、かつ、前記映像表示画面内で各映像データを前記表示部に表示するときの表示サイズ及び位置の少なくとも１つを指定するための情報を含むことを特徴とする。
【００１５】
本発明の第７の観点では、表示システムは、第１の観点から第５の観点のいずれかに記載の表示装置と、ユーザが前記メニュー表示設定条件及び前記映像表示設定条件を前記表示装置に入力するための入力装置と、を具備することを特徴とする。
【発明の効果】
【００１６】
本発明によれば、ユーザがメニュー表示画面及び映像表示画面などの画面の表示をカスタマイズすることができる。
【図面の簡単な説明】
【００１７】
【図１】本発明の第１実施形態に係る表示装置２が適用される表示システムの構成を示す図である。
【図２】本発明の第１実施形態に係る表示装置２において、ユーザが入力装置４を用いて設定するときのメニュー表示設定条件１１０を示す図である。
【図３】本発明の第１実施形態に係る表示装置２において、ユーザが入力装置４を用いて設定するときの映像表示設定条件１２０を示す図である。
【図４】本発明の第１実施形態に係る表示装置２において、表示部２０に表示されるメニュー表示画面３２と映像表示画面３４を示す図である。
【図５】本発明の第１実施形態に係る表示装置２の動作を示すフローチャートである。
【図６】本発明の第２実施形態に係る表示装置２において、ユーザが入力装置４を用いて設定するときのメニュー表示設定条件１１０を示す図である。
【図７】本発明の第３実施形態に係る表示装置２において、ユーザが入力装置４を用いて設定するときの映像表示設定条件１２０を示す図である。
【図８】本発明の第３実施形態に係る表示装置２において、表示部２０に表示されるメニュー表示画面３２と映像表示画面３４を示す図である。
【発明を実施するための形態】
【００１８】
以下、図面を参照しながら本発明の実施形態について説明する。
【００１９】
［第１実施形態］
図１は、本発明の第１実施形態に係る表示装置２が適用される表示システムの構成を示す図である。表示システムは、表示装置２と、入力装置４とを具備している。
【００２０】
入力装置４としては、携帯電話機、スマートフォン、パーソナルコンピュータなどのコンピュータが例示される。
【００２１】
表示装置２としては、パーソナルコンピュータ、据え置き型テレビなどで用いられるモニターが例示される。
【００２２】
表示装置２は、外部入力端子１２と、画像合成部１４と、表示制御部１６、１８と、表示部２０と、図示しない記憶部と、これらを制御する制御部１０とを具備している。
【００２３】
表示部２０としては、ＬＣＤ（Ｌｉｑｕｉｄ  Ｃｒｙｓｔａｌ  Ｄｉｓｐｌａｙ）が例示される。
【００２４】
制御部１０としては、ＣＰＵ（Ｃｅｎｔｒａｌ  Ｐｒｏｃｅｓｓｉｎｇ  Ｕｎｉｔ）が例示される。記憶部にはコンピュータが実行可能なコンピュータプログラムが格納され、制御部１０はそのコンピュータプログラムを読み出して実行する。
【００２５】
画像合成部１４は、メニュー表示画面３２と映像表示画面３４とを重畳させる。メニュー表示画面３２はメニュー表示層を表す画面である。映像表示画面３４は映像表示層を表す画面である。
【００２６】
表示制御部１６は、メニュー表示画面３２及び映像表示画面３４に対して予め設定された設定条件３０で表示部２０に表示する。
【００２７】
ここで、予め設定された設定条件３０とは、メニュー表示画面３２及び映像表示画面３４を表示部２０に表示するときの表示位置や表示透過率であり、この表示位置や表示透過率は予め設定されている。
【００２８】
外部入力部１２は、ユーザが入力装置４を用いて入力信号１００を入力したときに、入力装置４からの入力信号１００を受け付ける。外部入力部１２は、コンピュータのＵＳＢからＨＤＭＩに変換するアダプタである。
【００２９】
表示制御部１８は、入力信号１００がメニュー表示画面３２及び映像表示画面３４に対してそれぞれユーザの所望の条件を設定するためのメニュー表示設定条件１１０及び映像表示設定条件１２０を表している場合、メニュー表示画面３２及び映像表示画面３４に対して、予め設定された設定条件３０に代えて、それぞれメニュー表示設定条件１１０及び映像表示設定条件１２０で表示部２０に表示する。
【００３０】
図２は、本発明の第１実施形態に係る表示装置２において、ユーザが入力装置４を用いて設定するときのメニュー表示設定条件１１０を示す図である。
【００３１】
メニュー表示設定条件１１０は、メニュー表示画面３２を表示部２０に表示するときの表示透過率１１１を表す情報と、メニュー表示画面３２を表示部２０に表示するときの表示領域１１２を表す情報とを含んでいる。
【００３２】
メニュー表示設定条件１１０の表示透過率１１１は、例えば、０〜１００％の範囲で表した場合に、ユーザがその範囲の中から任意の数値を指定することにより、表示透過率１１１を設定することができる。
【００３３】
メニュー表示設定条件１１０の表示領域１１２は、例えば、表示部２０の表示領域を座標で表した場合に、ユーザが矩形座標（Ｘ１１、Ｙ１１）、（Ｘ１２、Ｙ１３）、（Ｘ１３、Ｙ１３）、（Ｘ１４、Ｙ１４）を指定することにより、図４に示されるような表示領域１１２を設定することができる。
【００３４】
図３は、本発明の第１実施形態に係る表示装置２において、ユーザが入力装置４を用いて設定するときの映像表示設定条件１２０を示す図である。
【００３５】
映像表示設定条件１２０は、映像表示画面３４を表示部２０に表示するときの表示透過率１２１を表す情報と、映像表示画面３４を表示部２０に表示するときの表示領域１２２を表す情報とを含んでいる。
【００３６】
映像表示設定条件１２０の表示透過率１２１は、例えば、０〜１００％の範囲で表した場合に、ユーザがその範囲の中から任意の数値を指定することにより、表示透過率１２１を設定することができる。
【００３７】
映像表示設定条件１２０の表示領域１２２は、例えば、表示部２０の表示領域を座標で表した場合に、ユーザが矩形座標（Ｘ２１、Ｙ２１）、（Ｘ２２、Ｙ２３）、（Ｘ２３、Ｙ２３）、（Ｘ２４、Ｙ２４）を指定することにより、図４に示されるような表示領域１２２を設定することができる。
【００３８】
ここで、図４に示されるように、ユーザは、映像表示画面３４の表示領域１２２をメニュー表示画面３２の表示領域１１２よりも小さくする設定することにより、メニュー表示画面３２の表示領域１１２のうちの、映像表示画面３４の表示領域１２２と重なっていない領域に、利用頻度の高いアイコン４０を配置することができる。
【００３９】
図５は、本発明の第１実施形態に係る表示装置２の動作を示すフローチャートである。
【００４０】
外部入力部１２は、入力装置４からの入力信号１００の有無を判断する（ステップＳ１）。
【００４１】
ここで、入力装置４からの入力信号１００が無い場合（ステップＳ１−Ｎｏ）、表示制御部１６は、メニュー表示画面３２及び映像表示画面３４に対して予め設定された設定条件３０で表示部２０に表示する（ステップＳ３）。
【００４２】
一方、入力装置４からの入力信号１００が有る場合（ステップＳ１−Ｙｅｓ）、制御部１０は、ユーザにより設定条件（メニュー表示設定条件１１０及び映像表示設定条件１２０）が入力信号１００に設定されているか否かを判断する（ステップＳ２）。
【００４３】
ここで、ユーザにより設定条件が入力信号１００に設定されていない場合（ステップＳ１−Ｎｏ）、表示制御部１６は、メニュー表示画面３２及び映像表示画面３４に対して予め設定された設定条件３０で表示部２０に表示する（ステップＳ３）。
【００４４】
一方、ユーザにより設定条件（メニュー表示設定条件１１０及び映像表示設定条件１２０）が入力信号１００に設定されている場合（ステップＳ１−Ｙｅｓ）、表示制御部１８は、メニュー表示画面３２及び映像表示画面３４に対して、予め設定された設定条件３０に代えて、それぞれメニュー表示設定条件１１０及び映像表示設定条件１２０で表示部２０に表示する（ステップＳ４）。
【００４５】
以上の説明により、本発明の第１実施形態に係る表示装置２によれば、ユーザが入力装置４を用いてメニュー表示画面３２及び映像表示画面３４に対してそれぞれメニュー表示設定条件１１０（表示透過率１１１、表示領域１１２）及び映像表示設定条件１２０（表示透過率１２１、表示領域１２２）を設定することにより、ユーザがメニュー表示画面３２及び映像表示画面３４などの画面の表示をカスタマイズすることができる。
【００４６】
［第２実施形態］
第２実施形態では第１実施形態からの変更点のみ説明する。
【００４７】
図６は、本発明の第２実施形態に係る表示装置２において、ユーザが入力装置４を用いて設定するときのメニュー表示設定条件１１０を示す図である。
【００４８】
メニュー表示設定条件１１０は、更に、メニュー表示画面３２に対してベゼルデザイン１１４を指定するための情報を含んでいる。
【００４９】
メニュー表示設定条件１１０のベゼルデザイン１１４は、例えば、複数候補のベゼルデザイン１１３をユーザに提示する場合に、ユーザが複数の候補ベゼルデザイン１１３の中から１つの候補ベゼルデザイン１１３をベゼルデザイン１１４として指定することにより、ベゼルデザイン１１４を設定することができる。
【００５０】
ここで、ユーザが映像表示画面３４の表示領域１２２をメニュー表示画面３２の表示領域１１２よりも小さくする設定している場合（図４を参照）、メニュー表示画面３２の表示領域１１２のうちの、映像表示画面３４の表示領域１２２と重なっていない領域に、ユーザにより設定されたベゼルデザイン１１４が表示される。
【００５１】
以上の説明により、本発明の第２実施形態に係る表示装置２によれば、ユーザが入力装置４を用いてメニュー表示画面３２及び映像表示画面３４に対してそれぞれメニュー表示設定条件１１０（表示透過率１１１、表示領域１１２、ベゼルデザイン１１４）及び映像表示設定条件１２０（表示透過率１２１、表示領域１２２）を設定することにより、ユーザがメニュー表示画面３２及び映像表示画面３４などの画面の表示をカスタマイズすることができる。
【００５２】
［第３実施形態］
第３実施形態では第２実施形態からの変更点のみ説明する。
【００５３】
図７は、本発明の第３実施形態に係る表示装置２において、ユーザが入力装置４を用いて設定するときの映像表示設定条件１２０を示す図である。
【００５４】
映像表示設定条件１２０は、更に、映像表示画面３４の表示領域１２２内で各映像データを表示部２０に表示するときの表示サイズ位置を指定するための情報を含んでいる。
【００５５】
映像表示設定条件１２０の表示サイズ位置は、映像データの数に対応して設定される。例えば、図８に示されるように、各映像データが映像データ３４−１、３４−２であるものとする。その場合、映像データ３４−１、３４−２に対してそれぞれ表示サイズ位置１２３、１２４が指定される。
【００５６】
表示サイズ位置１２３は、例えば、表示部２０の表示領域を座標で表した場合に、ユーザが表示領域１２２よりも小さい領域として、矩形座標（Ｘ２１１、Ｙ２１１）、（Ｘ２２１、Ｙ２３１）、（Ｘ２３１、Ｙ２３１）、（Ｘ２４１、Ｙ２４１）を指定することにより、映像データ３４−１の表示サイズ及び位置を設定することができる。
【００５７】
表示サイズ位置１２４は、表示サイズ位置１２３と同様に、矩形座標（Ｘ２１２、Ｙ２１２）、（Ｘ２２２、Ｙ２３２）、（Ｘ２３２、Ｙ２３２）、（Ｘ２４２、Ｙ２４２）を指定することにより、映像データ３４−２の表示サイズ及び位置を設定することができる。
【００５８】
以上の説明により、本発明の第３実施形態に係る表示装置２によれば、ユーザが入力装置４を用いてメニュー表示画面３２及び映像表示画面３４に対してそれぞれメニュー表示設定条件１１０（表示透過率１１１、表示領域１１２、ベゼルデザイン１１４）及び映像表示設定条件１２０（表示透過率１２１、表示領域１２２、表示サイズ位置１２３、１２４）を設定することにより、ユーザがメニュー表示画面３２及び映像表示画面３４などの画面の表示をカスタマイズすることができる。
【００５９】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００６０】
２  …  表示装置、
４  …  入力装置、
１０  …  制御部、
１２  …  外部入力端子、
１４  …  画像合成部、
１６  …  表示制御部、
１８  …  表示制御部、
２０  …  表示部、
３０  …  予め設定された設定条件
３２  …  メニュー表示画面、
３４  …  映像表示画面、
３４−１  …  映像データ、
３４−２  …  映像データ、
４０  …  アイコン、
１００  …  入力信号、
１１０  …  メニュー表示設定条件、
１１１  …  表示透過率、
１１２  …  表示領域、
１１３  …  候補ベゼルデザイン、
１１４  …  ベゼルデザイン、
１２０  …  映像表示設定条件、
１２１  …  表示透過率
１２２  …  表示領域、
１２３  …  表示サイズ位置、
１２４  …  表示サイズ位置
【図１】
2016012184.tif 000003
【図２】
2016012184.tif 000004
【図３】
2016012184.tif 000005
【図４】
2016012184.tif 000006
【図５】
2016012184.tif 000007
【図６】
2016012184.tif 000008
【図７】
2016012184.tif 000009
【図８】
2016012184.tif 000010